(57)【要約】【課題】集合住宅の水平方向に設けられた廊下又は鉛直方向に設けられた階段に後付けでエレベータのかご室昇降路の隔壁構造物の構築する技術に関して、前記隔壁構造物の軽量化を図る。【解決手段】かご室昇降路の四隅に該当する位置に隣接するもの同士が互いに９０ずつ向きが異なるように下端部を基礎地盤に埋め込んで立設されたＨ型鋼製縦材３と、隣接する縦材同士を互いに連結するＨ型鋼製横材４とで鉄骨枠組５を形成し、該鉄骨枠組の外面にかご室乗降口９となる部分を除いて外装パネル１０を貼り付けた構成とする。【選択図】図２
0003116979.tif 000002
【実用新案登録請求の範囲】
【請求項１】
水平方向に設けられた廊下又は鉛直方向に設けられた階段に併設する集合住宅用後付けエレベータのかご室昇降路の隔壁構造物であって、
かご室昇降路の四隅に該当する位置に隣接するもの同士が互いに９０ずつ向きが異なるように下端部を基礎地盤に埋め込んで立設されたＨ型鋼製縦材と、隣接する縦材同士を互いに連結するＨ型鋼製横材とで鉄骨枠組を形成し、該鉄骨枠組の外面にかご室乗降口となる部分を除いて外装パネルを貼り付けてなることを特徴とする集合住宅用後付けエレベータのかご室昇降路の隔壁構造物。
【請求項２】
水平方向に設けられた廊下又は鉛直方向に設けられた階段に併設する集合住宅用後付けエレベータのかご室昇降路の隔壁構造物であって、
かご室昇降路の四隅に該当する位置関係で隣接するもの同士が互いに９０ずつ向きが異なるように配置されたＨ型鋼製縦材と、隣接する縦材同士を互いに連結するＨ型鋼製横材とで形成された鉄骨枠組の外面にかご室乗降口となる部分を除いて外装パネルを貼り付けてなる隔壁ブロックを基礎地盤の上に複数個積み重ねて構築されることを特徴とする集合住宅用後付けエレベータのかご室昇降路の隔壁構造物。
【考案の詳細な説明】
【技術分野】
【０００１】
この考案は、エレベータが設置されていない既設の集合住宅に、エレベータを簡易に設置するための集合住宅用後付けエレベータのかご室昇降路の隔壁構造物に関する。
【背景技術】
【０００２】
４階建てや５階建ての中層集合住宅はエレベータが設置されていないことが多く、特に上層階の居住者にとって階段の昇り降りが大きな負担となっていた。そこで、本件出願人は、既設の中層集合住宅にエレベータを簡易に設置することを目的として、基礎地盤上に平面形状ほぼコ字形のコンクリートブロックを廊下又は階段の方に開口して複数積み重ねることにより集合住宅用後付けエレベータのかご室昇降路の隔壁構造物（以下、「隔壁構造物」とする）を構築する技術を開発した。この構築技術によれば、既設住宅を解体や改築することなく、比較的簡単な作業で短期間に隔壁構造物を構築できる。
【特許文献１】特許第３１６８３３７号公報
【考案の開示】
【考案が解決しようとする課題】
【０００３】
しかしながら、上記従来技術による隔壁構造物は、コンクリート造りで重量が大きいので、しっかりとした基礎地盤を必要とし、多くの場合、既存の基礎地盤では不十分なため新たに基礎工事を行わねばならないという問題点があった。また、構築現場での作業は短期間である反面、構築現場以外で予めコンクリートブロックを成形する作業を必要とするとともに、成形された大重量のコンクリートブロックを運搬するのに多大なコストと労力を要するという問題点があった。
【０００４】
したがって、工期の制限が少ない場合や既存の基礎地盤が不十分である場合には、上記従来技術が必ずしも適しているとは言えず、このような施行現場の条件、状況に適した新たな構築技術の確立が必要となっている。この課題に対し、本考案は次に示す技術的手段を講じた。
【課題を解決するための手段】
【０００５】
すなわち、請求項１に記載の隔壁構造物は、水平方向に設けられた廊下又は鉛直方向に設けられた階段に併設する集合住宅用後付けエレベータのかご室昇降路の隔壁構造物であって、かご室昇降路の四隅に該当する位置に隣接するもの同士が互いに９０ずつ向きが異なるように下端部を基礎地盤に埋め込んで立設されたＨ型鋼製縦材と、隣接する縦材同士を互いに連結するＨ型鋼製横材とで鉄骨枠組を形成し、該鉄骨枠組の外面にかご室乗降口となる部分を除いて外装パネルを貼り付けてなることを特徴としている。
【０００６】
また、請求項２に記載の隔壁構造物は、水平方向に設けられた廊下又は鉛直方向に設けられた階段に併設する集合住宅用後付けエレベータのかご室昇降路の隔壁構造物であって、かご室昇降路の四隅に該当する位置関係で隣接するもの同士が互いに９０ずつ向きが異なるように配置されたＨ型鋼製縦材と、隣接する縦材同士を互いに連結するＨ型鋼製横材とで形成された鉄骨枠組の外面にかご室乗降口となる部分を除いて外装パネルを貼り付けてなる隔壁ブロックを基礎地盤の上に複数個積み重ねて構築されることを特徴としている。
【０００７】
請求項１及び請求項２に記載の隔壁構造物は、鉄骨枠組とその外面を覆う外装パネルとからなり、コンクリートを使用しないので、全体に軽量である。このため、本格的な基礎地盤が施工されていない場所にも、簡単な基礎工事を施すだけで構築することができる。また、隣接するもの同士が互いに９０ずつ向きが異なるように各Ｈ型鋼製縦材を配置することにより、各Ｈ型鋼製縦材が曲げや捩れに対する強度的な弱点を互い補償し合うので、鉄骨枠組の剛性が向上する。このため、縦材と横材とで構成される垂直面部に斜めの補強材を設ける必要がなく、鋼材の節約が図れるとともに、鉄骨枠組の組立作業が簡略になる。特に、請求項２の構成とすれば、工事現場とは異なる場所で隔壁ブロックを予め作っていくことができ、現場での作業がさらに簡略になるとともに、各種都合に合わせて１隔壁ブロックずつ別々に構築工事を行うことが可能である。
【考案の効果】
【０００８】
上記のように本考案にかかる集合住宅用後付けエレベータのかご室昇降路の隔壁構造物は、鉄骨枠組構造で軽量であるので、簡単な基礎工事だけで構築することができ、しかも、Ｈ型鋼製縦材の向きを隣接するもの同士が互いに９０ずつ向きが異なるように配置することにより、少ない鋼材で剛性の高い鉄骨枠組を構築することが可能である。したがって、既存の集合住宅に後付けでエレベータを設置する場合、工期の条件や基礎地盤の状態等の諸状況によっては、きわめて有効である。
【考案を実施するための最良の形態】
【０００９】
以下、５階建て集合住宅の鉛直方向に設けられた階段２０にエレベータのかご室昇降路の隔壁構造物を併設する例（図４）と、５階建て集合住宅の水平方向に設けられた廊下２１に同隔壁構造物を併設する例（図７）とに基づき、本考案を具体的に説明する。
【実施例１】
【００１０】
図１及び図２は階段に併設された隔壁構造物を表している。まず、隔壁構造物１Ａが併設される階段について説明すると、この階段２０は、各階の玄関先を結んで側面視ジグザグに折り返す形態になっており、上層階と下層階との中間折り返し部に踊場２０ａが建物の外側に向けて設けられている。この集合住宅は５階建てであるから、踊場２０ａは１階と２階との間、２階と３階との間、３階と４階との間、及び４階と５階との間にそれぞれ存在している。これら全ての踊場２０ａでエレベータに乗降できるようにすることも可能であるが、１階と２階との間の踊場２０ａにエレベータを停止させてもメリットが少ないので、ここでは、地上部、２階と３階との間の踊場２０ａ（１）、３階と４階との間の踊場２０ａ（２）、及び４階と５階との間の踊場２０ａ（３）の計４か所でエレベータに乗降できるようにする。
【００１１】
隔壁構造物１Ａは、下端を基礎地盤２に埋め込んで立設した４本の鉛直方向のＨ型鋼製縦材３，…と、該縦材の上端及び前記踊場２０ａの高さに設けられ互いに隣接する縦材同士を連結する複数の水平方向のＨ型鋼製横材４，…とで鉄骨枠組５（図３）を構成し、その内部に形成される四角柱状の空間部をエレベータのかご室昇降路６及びかご室を昇降させる機械室７としている。さらに、鉄骨枠組５には、最下段のものを除く各段の横桟４と同一高さに、階段側の縦材３，３に固着された水平なＨ型鋼とその先端部同士を連結するＨ型鋼とで構成されるコ字形枠８，…が一体に設けられている。また、鉄骨枠組５の最上部には、エレベータのかご室を吊り下げ支持するためのフレーム１７が設けられている。
【００１２】
前記Ｈ型鋼製縦材３，…は、図２に示すように、隣接するもの同士が互いに９０ずつ向きが異なるように配置されている。このような配置とすることにより、各Ｈ型鋼製縦材３，…が曲げや捩れに対する強度的な弱点を互い補償し合うので、鉄骨枠組５が剛性の高い構造となっている。図１において二点鎖線で示すように、縦材３，３と横材４，４とで構成される垂直面部に斜めの補強材Ｈを設ければ剛性がより高くなるが、上記のような縦材の配置とすれば、補強材Ｈがなくても十分な剛性を有するので、補強材を設けなくてもよい。
【００１３】
鉄骨枠組５の外面には、地上部、２階と３階との間の踊場２０ａ（１）、３階と４階との間の踊場２０ａ（２）、及び４階と５階との間の踊場２０ａ（３）に対応して、廊下２０側を向くかご室乗降口９を開けて外装パネル１０，…が貼り付けられる。かご室乗降口９には、スライド開閉する扉（図示せず）が取り付けられる。また、鉄骨枠組５の上端部及び最上段のコ字枠８の上には、屋根１１が取り付けられる。
【００１４】
最上段以外の各コ字枠８の上には床板１２を設けて、その上面をモルタル、タイル等で仕上げる。ここは、かご室乗降口９と踊場２０ａ（１，２，３）とを架け渡しする通路となる。踊場２０ａ（１，２，３）の外側隔壁２０ｂは撤去され、該踊場と通路の床板１２との隙間に鋼板１３が載せられる。通路の両側には、防雨スクリーン１４と手摺り１５とが取り付けられる。また、地上部のかご室乗降口９の両側にも、防雨スクリーン１４が取り付けられる。
【００１５】
完成した隔壁構造物１Ａの内部は、かご室昇降路６と機械室７として使用される。かご室昇降路６内にはかご室６ａが配備され、機械室７にはかご室昇降用機械７ａが設置される。
【００１６】
この隔壁構造物１Ａを構築するに際しては、枡型の立ち上がり部２ａを有する基礎地盤２を施工し、その基礎地盤の立ち上がり部２ａに４本のＨ型鋼製縦材３，…の下端部を埋め込むようにする。隔壁構造物１Ａはほとんど鉄骨枠組５と外装パネル１０，…とだけで構成されていて軽量であるので、大掛かりが基礎地盤を必要とせず、簡単な基礎工事ですむ。既存集合住宅の基礎地盤を利用することもできる。また、鉄骨枠組５はＨ型鋼の縦材３，…と横材４，…とコ字枠８，…とからなっており、斜めの補強材が不要であるので、鉄骨の量が少なくてすむとともに、組立作業も簡単である。これらの構築工事は、ほぼ現場作業だけで行うことができる。
【００１７】
図５は隔壁構造物１Ａの異なる構築方法を表している。この構築方法は、複数個の隔壁ブロック１６（１，２，…，５）を基礎地盤２の上に積み重ねるというものである。そして、第５層（最上層）の隔壁ブロック１６（５）の上に屋根１１が取り付けられる。第１層（最下層）の隔壁ブロック１６（１）は地面から１階と２階との間の踊場までの高さ、第２層の隔壁ブロック１６（２）は１階と２階との間の踊場から２階と３階との間の踊場までの高さ、第３層の隔壁ブロック（図示せず）は２階と３階との間の踊場から３階と４階との間の踊場までの高さ、第４層の隔壁ブロック（図示せず）は３階と４階との間の踊場から４階と５階との間の踊場までの高さ、第５層（最上層）の隔壁ブロック１６（５）は４階と５階との間の踊場から屋根までの高さにそれぞれ設定されている。
【００１８】
各隔壁ブロック１６は、かご室昇降路の四隅に該当する位置関係で隣接するもの同士が互いに９０ずつ向きが異なるように配置されたＨ型鋼製縦材３，…と、隣接する縦材３，…同士を互いに連結するＨ型鋼製横材４，…とで鉄骨枠組５を形成し、その鉄骨枠組５の外面に外装パネル１０が貼り付けられている。エレベータを停止させる第１層、第３層、第４層及び第５層の隔壁ブロックは、かご室乗降口９となる部分を除いて外装パネル１０が貼り付けられている。また、第３層、第４層及び第５層の隔壁ブロックには、かご室乗降口９と踊場とを架け渡しする通路コ字形枠８，…が一体に設けられている。さらに、第５層の隔壁ブロック１６（５）には、エレベータのかご室を吊り下げ支持するためのフレーム１７が設けられている。
【００１９】
構築に際しては、基礎地盤の立ち上がり部２ａに下部を埋め込んだ鉄骨材１８，…に最下層の隔壁ブロック１６（１）の鉄骨枠組５を連結し、さらに隔壁ブロック１６（１）の鉄骨枠組５と隔壁ブロック１６（２）の鉄骨枠組５とを鉄骨材１９，…を介して連結するというようにして、各隔壁ブロック１６（１〜５）を基礎地盤２の上に積み重ねる。このように、予め外装パネル１０が貼られている隔壁ブロック１６を使用することにより、簡便な現場作業で隔壁構造物を構築することができる。
【実施例２】
【００２０】
図６は廊下に併設された隔壁構造物を表している。この隔壁構造物１Ｂも、前記隔壁構造物１Ａと同様に、Ｈ型鋼の縦材３，…と横材４，…とコ字枠８，…とで鉄骨枠組５が構成され、各縦材３，…は隣接するもの同士が互いに９０ずつ向きが異なるように配置されている。横材４，…及びコ字枠８，…は縦材３，…の上端及び２〜５階の各廊下２１の床面と同じ高さに設けられており、地上部及び２〜５階の各廊下２１に対応してかご室乗降口９が設けられている。そして、コ字枠８，…の上に作られる通路によって、各階の廊下２１とそれに対応するかご室乗降口９とが架け渡しされている。これ以外の構造は隔壁構造物１Ａの場合と同じであるので、説明を省略する。
【産業上の利用可能性】
【００２１】
上記のように、本考案によるエレベータのかご室昇降路の隔壁構造物は、集合住宅の鉛直方向に設けられた階段２０にも水平方向に設けられた廊下２１にも容易に併設することができる。実施例１，２は一例にすぎず、これとは形態の異なる階段や廊下にも併設可能である。また、本考案は、集合住宅に限らず、事務所、工場、店舗等のあらゆる建物に適用できる。
【図面の簡単な説明】
【００２２】
【図１】集合住宅用後付けエレベータのかご室昇降路の隔壁構造物の一部を省略して表示した側面断面図である。（実施例１）。
【図２】図１のＳ−Ｓ断面図である。（実施例１）
【図３】鉄骨枠組の斜視図である。
【図４】実施例１の隔壁構造物が設置された集合住宅の斜視図である。
【図５】実施例１の隔壁構造物の異なる構築方法を示す斜視図である。
【図６】集合住宅用後付けエレベータのかご室昇降路の隔壁構造物の一部を省略して表示した側面断面図である。（実施例２）。
【図７】実施例２の隔壁構造物が設置された集合住宅の斜視図である。
【符号の説明】
【００２３】
１Ａ，１Ｂ  隔壁構造物
２  基礎地盤
３  縦材
４  横材
５  鉄骨枠組
６  エレベータのかご室昇降路
７  機械室
８  コ字枠
９  かご室乗降口
１０  外装パネル
２０  階段
２１  廊下
【図１】
0003116979.tif 000003
【図２】
0003116979.tif 000004
【図３】
0003116979.tif 000005
【図４】
0003116979.tif 000006
【図５】
0003116979.tif 000007
【図６】
0003116979.tif 000008
【図７】
0003116979.tif 000009